【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
少なくとも１つの狭帯域領域において前記ＢＳと通信するユーザ機器（ＵＥ）の動作状態を識別することと、
前記動作状態に基づいて、設定可能な測定プロシージャであって、それによって前記ＵＥが他のＢＳから送信された信号を測定するために前記狭帯域領域からチューンアウェイする設定可能な測定プロシージャ、の１つまたは複数の動作パラメータを決定することと、ここにおいて、前記他のＢＳから送信された前記信号の前記測定は、再チューニング時間を備える測定ギャップにおいて行われる、
前記決定された動作パラメータにしたがって前記測定プロシージャを実行するように前記ＵＥを設定することと、
を備える方法。
【請求項２】
前記動作状態は、送信が繰り返されるバンドリングされた送信を利用する前記ＵＥのカバレッジ拡張（ＣＥ）のある特定のレベルに対応する、請求項１に記載の方法。
【請求項３】
前記決定することは、
前記ＣＥのレベルがしきい値以上である場合、結果として第１の数の基準信号が測定ウィンドウにおいて前記ＵＥによって測定されることをもたらす第１の１つまたは複数のパラメータを決定することと、
前記ＣＥのレベルが前記しきい値未満である場合、結果として第２の数の基準信号が測定ウィンドウにおいて前記ＵＥによって測定されることをもたらす第２の１つまたは複数のパラメータを決定することと、ここにおいて、前記第２の数は、前記第１の数よりも大きい、
を備える、請求項２に記載の方法。
【請求項４】
前記第２の１つまたは複数のパラメータは、前記第１の１つまたは複数のパラメータと比べて増加した測定ウィンドウまたは増加した測定ギャップのうちの少なくとも１つを備える、請求項３に記載の方法。
【請求項５】
前記決定することは、前記ＣＥのレベルが第１のしきい値を上回り、前記ＵＥモビリティが第２のしきい値未満である場合、接続モードにある間、前記ＵＥが前記測定プロシージャを実行することを無効にする１つまたは複数のパラメータを決定することを備える、請求項３に記載の方法。
【請求項６】
前記決定することは、前記ＣＥのレベルがしきい値未満であり、前記ＵＥとＢＳとの間の接続の信号対雑音比（ＳＮＲ）がしきい値レベルを上回る場合、前記ＵＥに前記測定プロシージャを報告することをスキップさせる１つまたは複数のパラメータを決定することを備える、請求項２に記載の方法。
【請求項７】
前記決定することは、
前記ＢＳによって使用されるものと同じキャリア周波数内の周波数内測定のための第１の測定ギャップまたは測定ウィンドウを決定すること、
を備える、請求項１に記載の方法。
【請求項８】
前記決定することは、
１つまたは複数の他のキャリア周波数における周波数間測定のための第２の測定ギャップまたは測定ウィンドウを決定すること、
を備える請求項１に記載の方法。
【請求項９】
ユーザ機器（ＵＥ）によるワイヤレス通信のための方法であって、
前記ＵＥが基地局（ＢＳ）と通信する少なくとも１つの狭帯域領域を識別することと、
前記ＢＳから、前記ＵＥの動作状態に基づいて決定された１つまたは複数の動作パラメータをもつシグナリングを受信し、測定プロシージャであって、それによって前記ＵＥが他のＢＳから送信された基準信号を測定するために前記狭帯域領域からチューンアウェイする測定プロシージャ、を実行するように前記ＵＥを設定することと、ここにおいて、前記他のＢＳから送信された前記基準信号の前記測定は、再チューニング時間を備える測定ギャップにおいて行われる、
前記シグナリングされた動作パラメータにしたがって前記測定プロシージャを実行することと、
を備える、方法。
【請求項１０】
前記動作状態は、送信が繰り返されるバンドリングされた送信を利用する前記ＵＥのカバレッジ拡張（ＣＥ）のある特定のレベルに対応する、請求項９に記載の方法。
【請求項１１】
前記動作パラメータは、
前記ＣＥのレベルがしきい値以上である場合、結果として第１の数の基準信号が測定ウィンドウにおいて前記ＵＥによって測定されることをもたらす第１の１つまたは複数のパラメータと、
前記ＣＥのレベルが前記しきい値未満である場合、結果として第２の数の基準信号が測定ウィンドウにおいて前記ＵＥによって測定されることをもたらす第２の１つまたは複数のパラメータと、ここにおいて、前記第２の数は、前記第１の数よりも大きい、
を備える、請求項１０に記載の方法。
【請求項１２】
前記動作パラメータは、前記ＣＥのレベルがしきい値を上回り、前記ＵＥモビリティがしきい値未満である場合、前記接続モードにある間、前記ＵＥが前記測定プロシージャを実行することを無効にする１つまたは複数のパラメータを備える、請求項１１に記載の方法。
【請求項１３】
基地局（ＢＳ）によるワイヤレス通信のための装置であって、
少なくとも１つの狭帯域領域において前記ＢＳと通信するユーザ機器（ＵＥ）の動作状態を識別することと、
前記動作状態に基づいて、設定可能な測定プロシージャであって、それによって前記ＵＥが他のＢＳから送信された信号を測定するために前記狭帯域領域からチューンアウェイする設定可能な測定プロシージャ、の１つまたは複数の動作パラメータを決定することと、ここにおいて、前記他のＢＳから送信された前記信号の前記測定は、再チューニング時間を備える測定ギャップにおいて行われる、
前記決定された動作パラメータにしたがって前記測定プロシージャを実行するように前記ＵＥを設定することと、
を行うように構成された少なくとも１つのプロセッサと、
前記少なくとも１つのプロセッサに結合されたメモリと、
を備える装置。
【請求項１４】
ユーザ機器（ＵＥ）によるワイヤレス通信のための装置であって、
前記ＵＥが基地局（ＢＳ）と通信する少なくとも１つの狭帯域領域を識別することと、
前記ＢＳから、前記ＵＥの動作状態に基づいて決定された１つまたは複数の動作パラメータをもつシグナリングを受信し、測定プロシージャであって、それによって前記ＵＥが他のＢＳから送信された基準信号を測定するために前記狭帯域領域からチューンアウェイする測定プロシージャ、を実行するように前記ＵＥを設定することと、ここにおいて、前記他のＢＳから送信された前記基準信号の前記測定は、再チューニング時間を備える測定ギャップにおいて行われる、
前記シグナリングされた動作パラメータにしたがって前記測定プロシージャを実行することと、
を行うように構成された少なくとも１つのプロセッサと、
前記少なくとも１つのプロセッサに結合されたメモリと、
を備える装置。
【請求項１５】
コンピュータシステムに、コンピュータプログラムが前記コンピュータプログラムを実行するとき、請求項１−１２のうちの何れか一項の方法ステップを実行させるための命令を備える、コンピュータプログラム。
【手続補正２】
【補正対象書類名】明細書
【補正対象項目名】００８９
【補正方法】変更
【補正の内容】
【００８９】
[0099]本開示の先の説明は、いずれの当業者も本開示を製造または使用することを可能とするために提供されている。本開示への様々な修正は、当業者には容易に明らかとなり、本明細書で定義された包括的な原理は、本開示の範囲または趣旨から逸脱することなく、他のバリエーションに適用されうる。したがって、本開示は、本明細書で説明されている例および設計に限定されるようには意図されておらず、本明細書で開示されている原理および新規の特徴と矛盾しない最も広い範囲を与えられることとなる。
以下に本願の出願当初の特許請求の範囲に記載された発明を付記する。
［Ｃ１］
基地局（ＢＳ）によるワイヤレス通信のための方法であって、
少なくとも１つの狭帯域領域において前記ＢＳと通信するユーザ機器の動作状態を識別することと、
前記動作状態に基づいて、設定可能な測定プロシージャであって、それによって前記ユーザ機器（ＵＥ）が他のＢＳから送信された信号を測定するために前記狭帯域領域からチューンアウェイする設定可能な測定プロシージャ、の１つまたは複数の動作パラメータを決定することと、
前記決定された動作パラメータにしたがって前記測定プロシージャを実行するように前記ＵＥを設定することと、
を備える方法。
［Ｃ２］
前記動作状態は、送信が繰り返されるバンドリングされた送信を利用する前記ＵＥのカバレッジ拡張（ＣＥ）のある特定のレベルに対応する、Ｃ１に記載の方法。
［Ｃ３］
前記動作状態はまた、前記ＵＥのモビリティにも対応する、Ｃ２に記載の方法。
［Ｃ４］
前記決定することは、
前記ＣＥのレベルがしきい値以上である場合、結果として第１の数の基準信号が測定ウィンドウにおいて前記ＵＥによって測定されることをもたらす第１の１つまたは複数のパラメータを決定することと、
前記ＣＥのレベルがしきい値未満である場合、結果として第２の数の基準信号が測定ウィンドウにおいて前記ＵＥによって測定されることをもたらす第２の１つまたは複数のパラメータを決定することと、ここにおいて、前記第２の数は、前記第１の数よりも大きい、
を備える、Ｃ２に記載の方法。
［Ｃ５］
前記第２の１つまたは複数のパラメータは、前記第１の１つまたは複数のパラメータと比べて増加した測定ウィンドウまたは増加した測定ギャップのうちの少なくとも１つを備える、Ｃ４に記載の方法。
［Ｃ６］
前記決定することは、前記ＣＥのレベルがしきい値を上回り、前記ＵＥモビリティがしきい値未満である場合、前記接続モードにある間、前記ＵＥが前記測定プロシージャを実行することを無効にする１つまたは複数のパラメータを決定することを備える、Ｃ４に記載の方法。
［Ｃ７］
前記決定することは、前記ＣＥのレベルがしきい値未満であり、前記ＵＥとＢＳとの間の接続の信号対雑音比（ＳＮＲ）がしきい値を上回る場合、前記接続モード、場合、前記ＵＥに前記測定プロシージャを報告することをスキップさせる１つまたは複数のパラメータを決定することを備える、Ｃ２に記載の方法。
［Ｃ８］
前記決定することは、
前記ＢＳによって使用されるものと同じキャリア周波数内の周波数内測定のための第１の測定ギャップまたは測定ウィンドウを決定すること、
を備える、Ｃ１に記載の方法。
［Ｃ９］
前記決定することは、
１つまたは複数の他のキャリア周波数における周波数間測定のための第２の測定ギャップまたは測定ウィンドウを決定すること、
を備えるＣ１に記載の方法。
［Ｃ１０］
同じＢＳにおける他の狭帯域測定のための第３の測定ギャップまたは測定ウィンドウを決定すること、
をさらに備えるＣ１に記載の方法。
［Ｃ１１］
前記決定することは、
サービングセル、周波数内、および周波数間の測定のための第１の測定ギャップまたは測定ウィンドウを決定することと、
前記第１の測定ギャップまたは測定ウィンドウに基づいて、前記測定プロシージャを実行するように前記ＵＥを設定することと、ここにおいて、前記ＵＥは、測定機会にサービング測定を実行すべきか、周波数内測定を実行すべきか、周波数間測定を実行するかを選ぶことができる、
を備える、Ｃ１に記載の方法。
［Ｃ１２］
前記ＵＥは、サービングまたは周波数内の測定プロシージャが前記第１の測定ギャップの全てを利用する訳ではない場合、前記第１の測定ギャップの残りの部分において別の測定プロシージャを実行するように構成される、Ｃ１１に記載の方法。
［Ｃ１３］
前記決定することは、
バースト測定のために前記ＵＥを設定するように１つまたは複数のパラメータを決定すること、
を備えるＣ１に記載の方法。
［Ｃ１４］
前記決定された動作パラメータは、バンドリングされた送信サイズよりも大きくなるように選択された測定期間を備える、Ｃ２に記載の方法。
［Ｃ１５］
ユーザ機器（ＵＥ）によるワイヤレス通信のための方法であって、
前記ＵＥが基地局（ＢＳ）と通信する少なくとも１つの狭帯域領域を識別することと、
前記ＢＳから、前記ＵＥの動作状態に基づいて決定された１つまたは複数の動作パラメータをもつシグナリングを受信し、測定プロシージャであって、それによって前記ＵＥが他のＢＳから送信された基準信号を測定するために前記狭帯域領域からチューンアウェイする測定プロシージャ、を実行するように前記ＵＥを設定することと、
前記シグナリングされた動作パラメータにしたがって前記測定プロシージャを実行することと、
を備える、方法。
［Ｃ１６］
前記動作状態は、送信が繰り返されるバンドリングされた送信を利用する前記ＵＥのカバレッジ拡張（ＣＥ）のある特定のレベルに対応する、Ｃ１５に記載の方法。
［Ｃ１７］
前記動作状態はまた、前記ＵＥのモビリティにも対応する、Ｃ１６に記載の方法。
［Ｃ１８］
前記動作パラメータは、
前記ＣＥのレベルがしきい値以上である場合、結果として第１の数の基準信号が測定ウィンドウにおいて前記ＵＥによって測定されることをもたらす第１の１つまたは複数のパラメータと、
前記ＣＥのレベルがしきい値未満である場合、結果として第２の数の基準信号が測定ウィンドウにおいて前記ＵＥによって測定されることをもたらす第２の１つまたは複数のパラメータと、ここにおいて、前記第２の数は、前記第１の数よりも大きい、
を備える、Ｃ１６に記載の方法。
［Ｃ１９］
前記第２の１つまたは複数のパラメータは、前記第１の１つまたは複数のパラメータと比べて増加した測定ウィンドウまたは増加した測定ギャップのうちの少なくとも１つを備える、Ｃ１８に記載の方法。
［Ｃ２０］
前記動作パラメータは、前記ＣＥのレベルがしきい値を上回り、前記ＵＥモビリティがしきい値未満である場合、前記接続モードにある間、前記ＵＥが前記測定プロシージャを実行することを無効にする１つまたは複数のパラメータを備える、Ｃ１８に記載の方法。
［Ｃ２１］
前記動作パラメータは、前記ＣＥのレベルがしきい値未満であり、前記ＵＥとＢＳとの間の接続の信号対雑音比（ＳＮＲ）がしきい値を上回る場合、前記接続モード、場合、前記ＵＥに前記測定プロシージャを報告することをスキップさせる１つまたは複数のパラメータを備える、Ｃ１６に記載の方法。
［Ｃ２２］
前記動作パラメータは、
前記ＢＳによって使用されるものと同じキャリア周波数内の周波数内測定のための第１の測定ギャップまたは測定ウィンドウ、
を備える、Ｃ１５に記載の方法。
［Ｃ２３］
前記動作パラメータは、
１つまたは複数の他のキャリア周波数における周波数間測定のための第２の測定ギャップまたは測定ウィンドウ、
を備えるＣ１５に記載の方法。
［Ｃ２４］
前記動作パラメータは、
同じＢＳにおける他の狭帯域測定のための第３の測定ギャップまたは測定ウィンドウ、
を備えるＣ１５に記載の方法。
［Ｃ２５］
前記動作パラメータは、
サービングセル、周波数内、および周波数間の測定のための第１の測定ギャップまたは測定ウィンドウを備え、
前記ＵＥは、前記第１の測定ギャップまたは測定ウィンドウに基づいて、前記測定プロシージャを実行し、測定機会にサービング測定を実行すべきか、周波数内測定を実行すべきか、周波数間測定を実行すべきかを選ぶように構成される、
Ｃ１５に記載の方法。
［Ｃ２６］
サービングまたは周波数内の測定プロシージャが前記第１の測定ギャップの全てを利用する訳ではないと決定することと、
前記第１の測定ギャップの残りの部分において、別の測定プロシージャを実行することと、
をさらに備える、Ｃ２５に記載の方法。
［Ｃ２７］
前記動作パラメータは、
バースト測定を実行するための１つまたは複数のパラメータ、
を備える、Ｃ１５に記載の方法。
［Ｃ２８］
前記動作パラメータは、バンドリングされた送信サイズよりも大きくなるように選択された測定期間を備える，Ｃ１６に記載の方法。
［Ｃ２９］
基地局（ＢＳ）によるワイヤレス通信のための装置であって、
少なくとも１つの狭帯域領域において前記ＢＳと通信するユーザ機器の動作状態を識別することと、
前記動作状態に基づいて、設定可能な測定プロシージャであって、それによって前記ユーザ機器（ＵＥ）が他のＢＳから送信された信号を測定するために前記狭帯域領域からチューンアウェイする設定可能な測定プロシージャ、の１つまたは複数の動作パラメータを決定することと、
前記決定された動作パラメータにしたがって前記測定プロシージャを実行するように前記ＵＥを設定することと、
を行うように構成された少なくとも１つのプロセッサと、
前記少なくとも１つのプロセッサに結合されたメモリと、
を備える装置。
［Ｃ３０］
ユーザ機器（ＵＥ）によるワイヤレス通信のための装置であって、
前記ＵＥが基地局（ＢＳ）と通信する少なくとも１つの狭帯域領域を識別することと、
前記ＢＳから、前記ＵＥの動作状態に基づいて決定された１つまたは複数の動作パラメータをもつシグナリングを受信し、測定プロシージャであって、それによって前記ＵＥが他のＢＳから送信された基準信号を測定するために前記狭帯域領域からチューンアウェイする測定プロシージャ、を実行するように前記ＵＥを設定することと、
前記シグナリングされた動作パラメータにしたがって前記測定プロシージャを実行することと、
を行うように構成された少なくとも１つのプロセッサと、
前記少なくとも１つのプロセッサに結合されたメモリと、
を備える装置。